(57)【特許請求の範囲】
【請求項１】
内容物の充填空間につながる口部を有する本体部分と、この本体部分の口部に設けられ、詰め替えるべき容器の口部にあてがって前記充填空間内の内容物を移し替える注出栓とを備えた詰替え容器であって、
当該注出栓は、本体部分の口部に係合保持されるベースと、当該ベースに回動可能に保持される筒体とを備え、
当該筒体に、その引き起こしによる起立姿勢でベースに形成した開口部と整列して内容物の注出を可能にする一方、その引き倒しによる傾倒姿勢で密閉される連通孔を形成し、
前記筒体には、該筒体が傾倒姿勢のときに前記ベースの天面壁に接触するとともに詰め替えるべき容器の口部に引っ掛かって前記筒体の引き起こしを生起させる係止片が設けられていることを特徴とする詰替え容器。
【請求項２】
内容物の充填空間につながる口部を有する本体部分と、この本体部分の口部に設けられ、詰め替えるべき容器の口部にあてがって前記充填空間内の内容物を移し替える注出栓とを備えた詰替え容器であって、
当該注出栓は、本体部分の口部に係合保持されるベースと、当該ベースに回動可能に保持される筒体とを備え、
当該筒体に、その引き起こしによる起立姿勢でベースに形成した開口部と整列して内容物の注出を可能にする一方、その引き倒しによる傾倒姿勢で密閉される連通孔を形成し、
前記ベースには、詰め替えるべき容器の口部との間に当該口部に筒体の傾倒姿勢において前記ベースの天面壁の側を向く下面を引っ掛けるための窪みが設けられていることを特徴とする詰替え容器。
【請求項３】
内容物の充填空間につながる口部を有する本体部分と、この本体部分の口部に設けられ、詰め替えるべき容器の口部にあてがって前記充填空間内の内容物を移し替える注出栓とを備えた詰替え容器であって、
当該注出栓は、本体部分の口部に係合保持されるベースと、当該ベースに回動可能に保持される筒体とを備え、
当該筒体に、その引き起こしによる起立姿勢でベースに形成した開口部と整列して内容物の注出を可能にする一方、その引き倒しによる傾倒姿勢で密閉される連通孔を形成し、
前記ベースには、詰め替えるべき容器の口部との間に当該口部に筒体を引っ掛けるための窪みが設けられ、
前記筒体には、該筒体が傾倒姿勢のときに前記ベースの天面壁に接触するとともに詰め替えるべき容器の口部に引っ掛かって前記筒体の引き起こしを生起させる係止片が設けられていることを特徴とする詰替え容器。
【発明の詳細な説明】
【技術分野】
【０００１】
本発明は、詰替え容器に関するものであり、内容物の漏れ出しを起したり、手や衣服を汚すことなしに効率的に内容物を詰替えようとするものである。
【背景技術】
【０００２】
シャンプーやリンス、洗剤、消臭除菌剤あるいは化粧品等を入れる容器としては、内容物の適量取り出しを可能とするためにポンプの如き吐出器を備えられたものが数多く上市される傾向にあり、内容物を使いきったのちは、別途に市販されている詰替え容器から新たな内容物を移し替えて元の容器（詰替えるべき容器）を再利用するのが普通になってきており、これによって資源の有効活用が図られている（例えば、特許文献１参照）。
【０００３】
ところで、詰替え容器はもともと、パウチタイプの容器や薄肉のブロー成形品等腰がない（剛性が低い）容器が適用されており内容物の詰替えが行い難く、例えば特許文献１のように２つの容器を、ねじを介して連結したのち内容物の移し替えを行うなど、これまでに種々の提案がなされてきてはいるものの、従来の詰替え容器は、詰替え作業に手間がかかることからその改善が求められているのが現状であった。
【先行技術文献】
【特許文献】
【０００４】
【特許文献１】特開２０００−１５９２４９号公報
【発明の概要】
【発明が解決しようとする課題】
【０００５】
本発明の課題は、内容物の漏れ出し等の不具合を起すことなしに効率よく内容物を移し替えることができる新規な詰替え容器を提案するところにある。
【課題を解決するための手段】
【０００６】
本発明は、内容物の充填空間につながる口部を有する本体部分と、この本体部分の口部に設けられ、詰め替えるべき容器の口部にあてがって前記充填空間内の内容物を移し替える注出栓とを備えた詰替え容器であって、
当該注出栓は、本体部分の口部に係合保持されるベースと、当該ベースに回動可能に保持される筒体とを備え、
当該筒体に、その引き起こしによる起立姿勢でベースに形成した開口部に連通して内容物の注出を可能にする一方、その引き倒しによる傾倒姿勢で密閉される連通孔を形成し、
前記筒体には、該筒体が傾倒姿勢のときに前記ベースの天面壁に接触するとともに詰め替えるべき容器の口部に引っ掛かって前記筒体の引き起こしを生起させる係止片が設けられていることを特徴とするものである。
【０００７】
本発明は、内容物の充填空間につながる口部を有する本体部分と、この本体部分の口部に設けられ、詰め替えるべき容器の口部にあてがって前記充填空間内の内容物を移し替える注出栓とを備えた詰替え容器であって、
当該注出栓は、本体部分の口部に係合保持されるベースと、当該ベースに回動可能に保持される筒体とを備え、
当該筒体に、その引き起こしによる起立姿勢でベースに形成した開口部と整列して内容物の注出を可能にする一方、その引き倒しによる傾倒姿勢で密閉される連通孔を形成し、
前記ベースには、詰め替えるべき容器の口部との間に当該口部に筒体の傾倒姿勢において前記ベースの天面壁の側を向く下面を引っ掛けるための窪みが設けられていることを特徴とするものである。
【０００８】
本発明は、内容物の充填空間につながる口部を有する本体部分と、この本体部分の口部に設けられ、詰め替えるべき容器の口部にあてがって前記充填空間内の内容物を移し替える注出栓とを備えた詰替え容器であって、
当該注出栓は、本体部分の口部に係合保持されるベースと、当該ベースに回動可能に保持される筒体とを備え、
当該筒体に、その引き起こしによる起立姿勢でベースに形成した開口部と整列して内容物の注出を可能にする一方、その引き倒しによる傾倒姿勢で密閉される連通孔を形成し、
前記ベースには、詰め替えるべき容器の口部との間に当該口部に筒体を引っ掛けるための窪みが設けられ、
前記筒体には、該筒体が傾倒姿勢のときに前記ベースの天面壁に接触するとともに詰め替えるべき容器の口部に引っ掛かって前記筒体の引き起こしを生起させる係止片が設けられていることを特徴とするものである。
【発明の効果】
【０００９】
本発明によれば、詰替えるべき容器の口部に筒体を引っ掛けることで当該筒体を引き起こすことができるため、手指を触れることなしに簡単な操作のもとで内容物の移し替えが行え、移し替えの際に内容物が手指あるいは衣服に付着することがない。即ち、本発明によれば、詰替えるべき容器の口部に筒体を引っ掛けて当該筒体を引き起こすだけで充填空間内の内容物を移し替えることが可能となる。
【図面の簡単な説明】
【００１０】
【図１】本発明に従う、詰替え容器の一形態を側面から示す要部断面図である。
【図２】同形態に係る注出栓の筒体が横倒しになった傾倒姿勢で、詰め替えるべき容器の口部に引っ掛けた状態を側面から示す要部断面図である。
【図３】同形態に係る筒体を、詰め替えるべき容器の口部に引っ掛けて引き起こしを開始した状態を側面から示す要部断面図である。
【図４】同形態に係る筒体を、詰め替えるべき容器の口部に引っ掛けて引き起こす過程で当該口部に筒体を差し込んで、詰め替えを開始した状態を側面から示す要部断面図である。
【図５】同形態に係る筒体の引き起こしが完了したことで、その起立姿勢で詰替えが行われている状態を側面から示す要部断面図である。
【図６】(a),(b)はそれぞれ、同形態を、その筒体の横倒し姿勢で示す平面図及び、同形態を、その筒体の起立姿勢で示す平面図である。
【発明を実施するための形態】
【００１１】
以下、図面を参照して、本発明に従う、詰替え容器の一形態を詳細に説明する。
【００１２】
図中における１は、詰替えるべき内容物を充填した容器である。容器１はその本体部分の内側に充填空間Ｍを有しており、頂部には、該充填空間Ｍにつながる口部１ａが一体に形成されている。この容器１は、内容物の充填量が減るにしたがい本体部分そのものの減容を可能とする袋状あるいは薄肉タイプのブローボトル、又は、人の把持によって変形及び復元の可能なスクイズ容器等が適用されている。
【００１３】
２は、容器１の口部１ａに設けられ、詰替えるべき容器１０の口部１１にあてがって充填空間Ｍ内の内容物を排出する注出栓である。
【００１４】
注出栓２は、本体部分の口部１ａにアンダーカット係合（ねじ止めでもよい。）することによって着脱自在に係合するベース３を有する。ベース３は、本体部分の口部１ａの周りを取り囲む環状周壁３ａと、この環状周壁３ａの上端に一体に連結される天面壁３ｂとで構成されている。
【００１５】
また、天面壁３ｂには、隔壁３ｃが一体に起立している。隔壁３ｃは、図６に示すように、横方向（図面上下方向）に間隔を空けて配置される２つの側壁３ｃ１と、これら側壁３ｃ１の後端を互いに一体に連結する後方壁３ｃ２とで形作られている。
【００１６】
４は、注出栓２の一部を構成し、２つの側壁３ｃ1の相互間に回動可能に保持される筒体である。筒体４は、天面壁３ｂに設けた湾曲凹所３ｄに密接して当該湾曲凹所３ｄに沿って摺動可能なドラム部４ａを有し、このドラム部４ａには、その内側に注出路を形成する筒本体４ｂが一体に設けられている。
【００１７】
また、ドラム部４ａの両端にはそれぞれ、軸部４ｃが一体に設けられている。軸部４ｃはそれぞれ、互いに向き合う側壁３ｃ1に形成された凹部に対して回転可能に保持されている。軸部４ｃは例えば、隔壁３ｃの開口側から嵌め込むことで、側壁３ｃ1の凹部に嵌合させる。これにより、筒体４は、軸部４ｃを基点に回動することで、引き起こしによる起立姿勢と、引き倒しによる傾倒姿勢とを取ることができる。
【００１８】
本形態に係る、傾倒姿勢は、図１に示すように、筒体４が横倒しになった状態の姿勢であり、例えば、同図に示すように、後述の筒体４に設けた係止片４ｄがベース３の天面壁３ｂと接触することで実現される。また、起立姿勢は、図５に示すように、筒体４が軸線Ｏと平行に整列した状態の姿勢であり、例えば、本形態に係る、図５に示すように、筒体４の上端に設けたリブ４ｒが後方壁３ｃ2と接触することで実現される。
【００１９】
なお、本発明に従えば、筒体３の起立姿勢及び傾倒姿勢は、本形態のものに限定されることなく、内容物の成分等により様々な選択が可能である。
【００２０】
また、ドラム部４ａには、その引き起こしによる起立姿勢でベース３に形成した開口部Ａ1と整列して内容物の注出を可能にする一方、その引き倒しによる傾倒姿勢で密閉される連通孔Ａ2が形成されている。
【００２１】
加えて、ベース３には、図１等に示すように、詰め替えるべき容器１０の口部１１に、当該筒体４が引っ掛かるよう、天面壁３ｂの外周縁を環状周壁３ａと共に切り欠いてなる窪み３ｎが設けられている。窪み３ｎは、詰め替えるべき容器１０の口部１１との間に、当該口部１１に筒体４の先端を引っ掛けるための凹部を形成する。これにより、筒体４の先端を、図２に示すように、口部１１に引っ掛けて容器１を引き起こすだけで、筒体４の起立姿勢を容易に生起させることができる。
【００２２】
また、本形態では、詰め替えるべき容器１０の口部１１に、当該筒体４が引っ掛かるよう、筒体４には、詰め替えるべき容器１０の口部１１に引っ掛かって筒体４の引き起こしを生起させる係止片４ｄが設けられている。係止片４ｄは、図６(b)に示すように、プレート状の部位としてなる。但し、本発明に従えば、係止片４ｄの形状は、本形態の形状に限定されるものではなく、口部１１の形状等に応じて種々の変更が可能である。
【００２３】
次に、図面を参照して、本形態の作用を説明する。
【００２４】
使用者は先ず、図２に示すように、筒体４を横倒しにしたまま、注出栓２の窪み３ｎを、詰め替えすべき容器１０の口部１１の上端に合わせる。次いで、図３に示すように、容器１を持ち上げれば、筒体４は、その係止片４ｄが引っ掛かることで、図３に示すように、引き起こされる。この引き起こしにより、筒体４の連通孔Ａ2が、図４に示すように、ベース３の開口部Ａ1に整列し始めると、充填空間Ｍ内の内容物も筒体４を通して、詰め替えすべき容器１０に流入し始める。
【００２５】
そして、筒体４が後方壁３ｃ2に接触することで、軸線Ｏと平行に整列して起立姿勢になると、筒体４の連通孔Ａ2が、図５に示すように、ベース３の開口部Ａ1と完全に整列した状態になる。この後、同図に示すように、ベース３の天面壁３ｂを口部１１の上端に載せ置けば、手指を触れることなしに容器１の内容物を容器１１に移し替えることができる。
【００２６】
本形態によれば、詰替えるべき容器１０の口部１１に筒体４の係止片４ｄを引っ掛けることで当該筒体４を引き起こすことができるため、手指を触れることなしに簡単な操作のもとで内容物の移し替えが行え、移し替えの際に内容物が手指あるいは衣服に付着することがない。即ち、本発明によれば、詰替えるべき容器１０の口部１１に筒体４を引っ掛けて当該筒体４を引き起こすだけで充填空間Ｍ内の内容物を移し替えることが可能となる。
【００２７】
上述したところは、本発明の一形態を示したに過ぎず、特許請求の範囲内において、種々の変更を加えることができる。例えば、本発明に従えば、ベース３に、詰め替えるべき容器１０の口部１１との間に当該口部１１に筒体４を引っ掛けるための窪み３ｎが設けられていることから、筒体４に設けた係止片４ｄは、省略することができる。
【符号の説明】
【００２８】
１    容器（本発明）
１ａ  容器口部
２    注出栓
３    ベース
３ａ  環状周壁
３ｂ  天面壁
３ｃ  隔壁
３ｃ1 側壁
３ｃ2 後方壁
３ｄ  湾曲凹所
３ｎ  窪み
４    筒体
４ａ  ドラム部
４ｂ  筒本体
４ｃ  軸部
４ｄ  係止片
４ｒ  リブ
１０  詰め替えすべき容器
１１  容器口部
Ａ1   開口部
Ａ2   連通孔
【図１】
0005389685.tif 000002
【図２】
0005389685.tif 000003
【図３】
0005389685.tif 000004
【図４】
0005389685.tif 000005
【図５】
0005389685.tif 000006
【図６】
0005389685.tif 000007